(57)【要約】【課題】容器本体と蓋体とを備え、不正に開蓋されたことを判別することができ、再び閉蓋して使用することができる包装用容器を提供する。【解決手段】容器本体１０は、底部１１の外周から上向きに周設された本体周壁部１２の上端縁から外向きに本体外側フランジ部１３を周設し、本体外側フランジ部１３の外周から上向きに切欠部１４ｅを形成した立上り部１４を周設したものである。蓋体２０は、天部２１の外周から下向きに周設された蓋周壁部２２の下端縁から外向きに蓋内側フランジ部２３を周設し、蓋内側フランジ部２３の外周から上向きに係合部２４を周設し、係合部２４の上端縁から外向きに蓋外側フランジ部２５を周設したもので、蓋外側フランジ部２５の一辺の角部付近に前記容器本体１０の切欠部１４ｅから突出する摘み部２５ａが形成され、摘み部２５ａから隣り合っている他辺２５ｃに至らない途中まで引裂き可能とする易開封ライン２６が形成されている。【選択図】図２
2010269824.tif 000002
【特許請求の範囲】
【請求項１】
上面に開口部を設けた容器本体と、前記開口部を開閉する蓋体とを備えた包装用容器であって、
前記容器本体は、底部と、該底部の外周から上向きに周設された本体周壁部と、該本体周壁部の上端縁から外向きに周設された本体外側フランジ部と、該本体外側フランジ部の外周から上向きに周設された立上り部とを一体に成形したものであり、前記本体周壁部には、前記本体外側フランジ部に隣接する内端縁から底部側に拡径するように傾斜した逆テーパ部が形成され、前記立上り部には、少なくとも一箇所に切欠部が形成され、
前記蓋体は、天部と、該天部の外周から下向きに周設された蓋周壁部と、該蓋周壁部の下端縁から外向きに周設された蓋内側フランジ部と、該蓋内側フランジ部の外周から上向きに周設されて前記容器本体の逆テーパ部と重なり合う係合部と、該係合部の上端縁から外向きに周設されて前記本体外側フランジ部と重なり合い、かつ、外周縁が前記容器本体の立上り部に接触ないし近接する蓋外側フランジ部とを一体に成形したものであり、前記蓋外側フランジ部には、一辺の角部付近に前記容器本体の立上り部に形成された切欠部から突出する摘み部が形成され、該摘み部から隣り合っている他辺に至らない途中まで引裂き可能とする易開封ラインが形成され、該易開封ラインの引裂きを阻止するため引裂き阻止手段が易開封ラインの端末と前記他辺との間に設けられていることを特徴とする包装用容器。
【請求項２】
前記引裂き阻止手段は、易開封ラインと直交ないし交差する方向の多数の溝が形成されていることを特徴とする請求項１に記載の包装用容器。
【請求項３】
前記容器本体の本体周壁部には、前記蓋体の蓋内側フランジ部と重なり合う本体内側フランジ部が前記逆テーパ部の下端縁から内向きに周設されていることを特徴とする請求項１又は２に記載の包装用容器。
【請求項４】
前記容器本体には、前記閉蓋された蓋体の蓋内側フランジ部の内周縁を衝止するように、前記本体内側フランジ部の内側縁から上向きに突出した突出部が備えられていることを特徴とする請求項３に記載の包装用容器。
【請求項５】
前記容器本体の底部には、高台部が設けられ、前記蓋体の天部には、前記高台部を外嵌する受枠部が設けられていることを特徴とする請求項１ないし４のいずれか一項に記載の包装用容器。
【発明の詳細な説明】
【技術分野】
【０００１】
本発明は、上面に開口部を設けた容器本体と、この容器本体の開口部を開閉する蓋体とが組み合わされる包装用容器に関し、詳しくは、蓋体が不正に開蓋されたことを判別することができる包装用容器に関する。
【背景技術】
【０００２】
スーパーマーケットやコンビニエンスストアなどの店舗においては、カット果物や惣菜類などの食品が合成樹脂製の包装用容器に収容されて販売されている。包装用容器には、上面に開口部を設けた容器本体と、この容器本体の開口部に蓋をする蓋体とを組み合わせたものがある。そして、蓋体が不正に開蓋されたことを判別することができるようにした包装用容器も各種提供されている。
【０００３】
例えば、特許文献１には、一旦、開蓋された蓋体を再封困難又は不能とする包装用容器が記載されている。この包装用容器は、図６に示すように、容器本体１１０の周縁部に設けられた凹部１１１と蓋体１２０の周縁部に設けられた凸部１２１とが嵌合する固着部１３０を設け、この固着部１３０よりも内側の蓋体１２０に、蓋体１２０を開蓋するための２本の易切断線１２２，１２３を設け、この２本の易切断線１２２，１２３で挟まれた部分を剥離部１２４としたことを特徴としている。
【０００４】
この包装用容器は、固着部１３０によって容器本体１１０と蓋体１２０とが確実に固着され、開蓋時に蓋体１２０に設けられた剥離部１２４が易切断線１２２，１２３に沿って切断されることによって容易に開蓋することができるようにされている。また、開蓋された蓋体１２０が再び閉蓋されると、易切断線１２２，１２３が切断されていることから、包装用容器は一旦、開蓋されたものであることを明瞭に判別することができる。
【０００５】
なお、２本の易切断線１２２，１２３のうち、一方１２２が蓋体１２０の一辺側から他辺側に到達し、他方１２３が一辺側から他辺側に至らない途中まで設けられることにより、切断された剥離部１２４が蓋体１２０に残留し、剥離部１２４が不用意に容器内や食品中に混入したり、周囲に散らばったりしないようにされている。
【０００６】
また、特許文献２には、一旦、開蓋された蓋体にその痕跡が表示されるようにした不正開封防止容器が記載されている。この不正開封防止容器は、図７に示すように、開口上縁に鍔２１１を有する身容器２１０と、この鍔２１１が嵌入係止し得るリング凹溝２２１を有する蓋体２２０とからなり、蓋体２２０のリング凹溝２２１の外周の一部につまみ片２２２を一体的に突設したことを特徴としている。
【０００７】
この不正開封防止容器は、鍔２１１が一旦、リング凹溝２２１内に嵌入することによって、蓋体２２０を身容器２１０から取り外すことが極めて困難とされ、つまみ片２２２を上方に強く引っ張ることによって、開蓋可能とされている。すなわち、つまみ片２２２が引っ張られると、リング凹溝２２１の一部が引き裂かれて切目２２３，２２３が形成され、かつ、この切目２２３，２２３の作用でリング凹溝２２１の内径が大きくなることにより、蓋体２２０を身容器２１０から簡単に外すことができるようにされている。
【０００８】
そして、この不正開封防止容器は、蓋体２２０が再び閉蓋されたときに、痕跡として切目２２３，２２３が表示されるため、この切目２２３，２２３によって開蓋されたことを判別することができる。
【先行技術文献】
【特許文献】
【０００９】
【特許文献１】特開２００７−５５６５６号公報
【特許文献２】登録実用新案第３１１４７３０号公報
【発明の概要】
【発明が解決しようとする課題】
【００１０】
特許文献１に記載された包装用容器は、２本の易切断線１２２，１２３のうち、一方１２２が蓋体１２０の一辺側から他辺側に到達し、他方１２３が一辺側から他辺側に至らない途中まで設けられているものの、薄い合成樹脂シートから成形された蓋体１２０にあっては、開蓋のために２本の易切断線１２２，１２３が切断されたときに、剥離部１２４が蓋体１２０に繋がった状態とすることが困難で、他方の易切断線１２３も他辺側まで切断されてしまいやすい。
【００１１】
すると、この包装用容器は、一旦、開蓋された蓋体１２０を再び、閉蓋したときに、開蓋しにくいものとなるだけでなく、容器本体１１０と蓋体１２０の各周縁部が重なり合う面が減少し、また、固着部１３０によって固着されないことと相俟って、両者１２０，１１０の嵌合力が低下する。したがって、この包装用容器は、汁気のある食品などを収容したときに、汁気が包装用容器内から漏出しやすいものになるという不具合がある。
【００１２】
また、特許文献２に記載された不正開封防止容器は、蓋体２２０を開蓋するときに、リング凹溝２２１の一部に切目２２３，２２３が形成され、リング凹溝２２１の内径が大きくなるため、この蓋体２２０を再び閉蓋したときに、リング凹溝２２１と身容器２１０の鍔２１１とが嵌合係止しないものとなる。したがって、この不正開封防止容器は、一旦、開蓋された蓋体２２０を再び閉蓋して使用することができないという不具合がある。
【００１３】
そこで、本発明は、不正に開蓋されたことを判別することができるだけでなく、再び確実に閉蓋して使用することができるようにした包装用容器を提供することを課題とする。
【課題を解決するための手段】
【００１４】
本発明に係る包装用容器は、上面に開口部を設けた容器本体と、前記開口部を開閉する蓋体とを備えた包装用容器であって、  前記容器本体は、底部と、該底部の外周から上向きに周設された本体周壁部と、該本体周壁部の上端縁から外向きに周設された本体外側フランジ部と、該本体外側フランジ部の外周から上向きに周設された立上り部とを一体に成形したものであり、前記本体周壁部には、前記本体外側フランジ部に隣接する内端縁から底部側に拡径するように傾斜した逆テーパ部が形成され、前記立上り部には、少なくとも一箇所に切欠部が形成され、前記蓋体は、天部と、該天部の外周から下向きに周設された蓋周壁部と、該蓋周壁部の下端縁から外向きに周設された蓋内側フランジ部と、該蓋内側フランジ部の外周から上向きに周設されて前記容器本体の逆テーパ部と重なり合う係合部と、該係合部の上端縁から外向きに周設されて前記本体外側フランジ部と重なり合い、かつ、外周縁が前記容器本体の立上り部に接触ないし近接する蓋外側フランジ部とを一体に成形したものであり、前記蓋外側フランジ部には、一辺の角部付近に前記容器本体の立上り部に形成された切欠部から突出する摘み部が形成され、該摘み部から隣り合っている他辺に至らない途中まで引裂き可能とする易開封ラインが形成され、該易開封ラインの引裂きを阻止するため引裂き阻止手段が易開封ラインの端末と前記他辺との間に設けられていることを特徴としている。
【００１５】
この包装用容器によれば、蓋体の係合部が容器本体の逆テーパ部に重なり合うことによって、蓋体が容器本体から外れにくいように内嵌合して閉蓋される。蓋体の係合部の下端縁の外径は、逆テーパ部の上端縁の内径よりも僅かに大きくされているが、蓋体及び容器本体が弾性変形することによって蓋体の係合部が容器本体の逆テーパ部に重なり合い、したがって、容易に開蓋しないように内嵌合する。また、閉蓋された状態の蓋体は、蓋外側フランジ部の外周縁が容器本体の立上り部に接触ないし近接することにより、蓋外側フランジ部を摘んで開蓋しにくくなっている。
【００１６】
そして、閉蓋された蓋体は、外側フランジ部に突設された摘み部が容器本体の立上り部に形成された切欠部から突出した状態とされている。この摘み部を摘み上げることによって易開封ラインが引き裂かれる。易開封ラインは、引裂き阻止手段によって蓋外側フランジ部の他辺まで引き裂かれず、摘み片は蓋外側フランジ部に繋がった状態を維持する。したがって、摘み部付近の蓋外側フランジ部の部分をさらに摘み上げることによって、この部分が持ち上げられ、この部分を起点に開蓋することができる。
【００１７】
そして、この包装用容器は、易開封ラインが引き裂かれても、蓋体の係合部が容器本体の逆テーパ部に重なり合うように内嵌合し、また、蓋体の蓋外側フランジ部と容器本体の本体外側フランジ部とが重なり合うように再び閉蓋することができる。したがって、この包装用容器は、汁気のある食品を収容しても、汁気が漏出しにくいものとなっている。しかも、蓋体は、外側フランジ部が易開封ラインで引き裂かれているため、店舗においては、一度、開蓋されたことを判別することができる。なお、易開封ラインは、ミシン目やハーフカットなどによって形成される。
【００１８】
また、前記本発明に係る包装用容器において、前記引裂き阻止手段は、易開封ラインと直交ないし交差する方向の多数の溝が形成されていることが好ましい。
【００１９】
この包装用容器によれば、引裂き阻止手段が易開封ラインと直交ないし交差する方向の多数の溝によって形成されていることにより、蓋外フランジ部を補強する構造を引裂き阻止手段として兼用することができる。なお、多数の溝は、ローレット目、平目ローレット目によって形成されることが好ましいが、綾目ローレット目であってもよい。
【００２０】
また、前記本発明に係る包装用容器において、前記容器本体の本体周壁部には、前記蓋体の蓋内側フランジ部と重なり合う本体内側フランジ部が前記逆テーパ部の下端縁から内向きに周設されていることが好ましい。
【００２１】
この包装用容器によれば、蓋体と容器本体とは、蓋体の蓋外側フランジ部と容器本体の本体外側フランジ部とが重なり合い、また、係合部と逆テーパ部とが重なり合うだけでなく、蓋体の蓋内側フランジ部と容器本体の本体内側フランジ部とも重なり合うことによって、密封性を向上させることができる。
【００２２】
また、前記本発明に係る包装用容器において、前記容器本体には、前記閉蓋された蓋体の蓋内側フランジ部の内周縁を衝止するように、前記本体内側フランジ部の内側縁から上向きに突出した突出部が備えられていることが好ましい。
【００２３】
この包装用容器によれば、容器本体の本体内側フランジ部の内側縁に突出部が上向きに突出されたことにより、蓋体の蓋内側フランジ部が容器本体の突出部と逆テーパ部とに挟まれた状態となり、蓋体の対向している蓋周壁部の間隔が狭められにくくなり、したがって、不正に開蓋されにくいものとすることができる。
【００２４】
また、前記本発明に係る包装用容器において、前記容器本体の底部には、高台部が設けられ、前記蓋体の天部には、前記高台部を外嵌する受枠部が設けられていることが好ましい。
【００２５】
この包装用容器によれば、容器本体の底部に高台部が設けられ、蓋体の天部に高台部を外嵌する受枠部が設けられていることにより、包装用容器を積み上げても倒れにくいようすることができる。すなわち、積み上げられた下側の包装用容器の天部に設けられた受枠部が上側の包装用容器の底部に設けられた高台部を外嵌することにより、横方向の外力が加えられても、上下の包装用容器は位置ずれしないため、倒れにくいものとされる。
【発明の効果】
【００２６】
本発明によれば、蓋体の蓋外側フランジ部の一辺の角部付近に形成された摘み部から隣り合う他辺に至らない易開封ラインが引裂き防止手段とともに形成されていることにより、開蓋されたことを容易に判別することができ、しかも、開蓋時に易開封ラインは、蓋体と容器本体とにそれぞれ形成された係合部及び蓋外側フランジ部と逆テーパ部及び本体外側フランジ部とが重なり合う部分を壊すおそれがなく、再び閉蓋したときに優れた密封性を発揮できる包装用容器を提供することができる。また、本発明の包装用容器は、不正に開蓋されたことを容易に判別することができる。
【図面の簡単な説明】
【００２７】
【図１】本発明に係る包装用容器の一実施形態を示す分解斜視図である。
【図２】本発明に係る包装用容器の一実施形態であって、開蓋された状態を示す概略断面正面図である。
【図３】本発明に係る包装用容器の一実施形態であって、閉蓋された状態を示す概略断面正面図である。
【図４】本発明に係る包装用容器の一実施形態を示す平面図である。
【図５】本発明に係る包装用容器の一実施形態を示す要部拡大斜視図である。
【図６】従来の包装用容器の一例を示し、（ａ）は平面図、（ｂ）は一部断面正面図である。
【図７】従来の不正開封防止容器の一例を示す斜視図である。
【発明を実施するための形態】
【００２８】
本発明に係る包装用容器の一実施形態について図１ないし図５を参照しながら説明する。この包装用容器は、上面に開口部１０ａを設けた容器本体１０と、前記開口部１０ａを開閉する蓋体２０とを備えたものである。
【００２９】
容器本体１０は、角部を円弧状にしたほぼ四角形状の底部１１と、この底部１１の外周から上向きに周設された本体周壁部１２と、この本体周壁部１２上端縁から外向きに周設された本体外側フランジ部１３と、この本体外側フランジ部１３の外周から上向きに周設された立上り部１４とを一体に成形したものである。この容器本体１０は、透明、半透明又は着色された合成樹脂シートから成形される。
【００３０】
前記本体周壁部１２は、図２にも示すように、底部１１の外周から上向きに拡径するようにテーパ状に傾斜した側壁部１２ａと、この側壁部１２ａの上端縁から外向きに周設された本体内側フランジ部１２ｂと、この本体内側フランジ部１２ｂの外周縁から上向きに縮径するようにテーパ状に傾斜した逆テーパ部１２ｃとを一体に成形したものとされている。したがって、逆テーパ部１２ｃの上端縁と前記本体外側フランジ部１３の内周縁とが隣り合って設けられ、逆テーパ部１２ｃは、本体外側フランジ部１３の内周縁から底部１１側に拡径するように傾斜している。
【００３１】
また、本体内側フランジ部１２ｂの内側縁と側壁部１２ａの上端縁との境界から上向きに突出部１２ｅが中央部分で突出している。この突出部１２ｅは、前記逆テーパ部１２ｃよりも低く突出している。また、底部１１には、底部本体１１ａに対してほぼ直角に立ち上がる高台部１１ｂが設けられている。さらに、側壁部１２ａ及び底部１１には、補強のためのリブ１５，１５，…が複数設けられている。
【００３２】
また、本体内側フランジ部１２ｂから逆テーパ部１２ｃ、本体外側フランジ部１３の内側部にかけて、閉蓋するときの空気抜きとするための細い溝１６が少なくとも一箇所に形成されている。この溝１６によって、閉蓋したときに、蓋体２０が膨れないようにすることができる。
【００３３】
そして、立上り部１４は、断面逆Ｕ字形に形成され、本体外側フランジ部１３の外周に立設された内側立上り部１４ａと、この内側立上り部１４ａと一定の間隔を空けて外側で対峙する外側立上り部１４ｂと、内側立上り部１４ａ及び外側立上り部１４ｂの両上端縁を連結する折返部１４ｃとを一体化したものとされている。
【００３４】
また、立上り部１４は、平面視でほぼ四角い枠状に成形されるが、内側立上り部１４ａの各角部は円弧状に成形され、外側立上り部１４ｂの各角部は直角に近い形状に成形されている。そして、外側立上り部１４ｂの下端縁は、図１に示すように、極細の多数の凹凸１４ｄが施され、補強されるとともに、僅かに外方向に向けられて指などが当たっても、指などを切ることがないようにされている。
【００３５】
そして、立上り部１４の少なくとも一箇所（図面では四箇所）に、切欠部１４ｅが形成されている。この切欠部１４ｅにおいて、内側立上り部１４ａ、外側立上り部１４ｂ及び折返部１４ｃは、端面部（採番せず）によって立上り部１４内の空間が塞がれている。なお、切欠部１４ｅは、正面視でほぼＶ字形に形成されている。
【００３６】
一方、蓋体２０は、図１及び図２に示すように、角部を円弧状にしたほぼ四角形状の天部２１と、この天部２１の外周から下向きに周設された蓋周壁部２２と、この下端縁から外向きに周設された蓋内側フランジ部２３と、蓋内側フランジ部２３の外周から上向きに周設された係合部２４と、この係合部２４の上端縁から外向きに周設された蓋外側フランジ部２５とを一体に成形したものである。この蓋体２０は、食品などの被収容物が見えるように透明の合成樹脂シートから形成されるが、使用態様によって半透明又は着色された合成樹脂シートから成形してもよい。
【００３７】
そして、前記蓋内側フランジ部２３は、閉蓋時において、前記本体内側フランジ部１２ｂと重なり合い、蓋内側フランジ部２３の内周縁と蓋周壁部２２との境界部が前記容器本体１０の突出部１２ｅと衝止する。したがって、閉蓋時において、蓋内側フランジ部２３は、この突出部１２ｅと容器本体１０の逆テーパ部１２ｃの下端縁とに挟まれる状態となる。
【００３８】
また、係合部２４は、閉蓋時において、容器本体１０の逆テーパ部１２ｃと重なり合う。したがって、係合部２４の長さと逆テーパ部１２ｃの長さは、ほぼ同じとされている。また、蓋外側フランジ部２５は、閉蓋時において、本体外側フランジ部１３と重なり合い、外周縁が容器本体１０の内側立上り部１４ａに接触ないし近接するようにされている。
【００３９】
また、蓋外側フランジ部２５の四箇所の角部は、前記内側立上り部１４ａの各角部の円弧状の形状に対応して、円弧状に形成される。また、蓋外側フランジ部２５の一つの角部付近には、前記立上り部１４の切欠部１４ｅに入り、先端が突出する摘み部２５ａが形成されている。
【００４０】
そして、蓋外側フランジ部２５の外周縁側には、極細の多数の凹凸２５ｂが形成され、補強されるとともに、指などがあたっても、指などを切ることがないようにされている。凹凸２５ｂは、正面から拡大して見たときに波形状とされ、多数の山と谷の方向が各辺において幅方向に短く形成され、角部において角部と中心部とを結ぶ方向（放射方向）に平行に形成されている。
【００４１】
この凹凸２５ｂは、例えば、平目ローレット目や綾目ローレット目のようなローレット目によって形成される。なお、摘み部２５ａにも凹凸２５ｂが形成されるが、滑りにくいようにするため、綾目ローレット目によって形成することが好ましい。
【００４２】
そして、蓋外側フランジ部２５には、摘み部２５ａから隣り合っている他辺２５ｃに至らない途中まで引裂き可能とする易開封ライン２６が前記凹凸２５ｂを横断するように形成されている。易開封ライン２６は、ミシン目やハーフカットなどによって形成される。したがって、使用者が摘み部２５ａを摘んで他辺２５ｃの方に引っ張ると、蓋外側フランジ部２５が易開封ライン２６で引き裂かれる。
【００４３】
ただし、易開封ライン２６の端末２６ａと他辺２５ｃとの間には、凹凸２５ｂが介在しているため、この凹凸２５ｂが引裂き阻止手段２７となって、蓋外側フランジ部２５は易開封ライン２６の端末２６ａよりもさらに他辺２５ｃの方に引き裂かれることがなく、したがって、易開封ライン２６よりも先の部分２５ｄが分離することがないようにされている。
【００４４】
そして、蓋体２０の天部２１には、前記容器本体１０の底部１１に設けられた高台部１１ｂを外嵌する受枠部２１ａが設けられている。図示した受枠部２１ａは、２本の突条によって形成されているが、四隅に設けるＬ字形の受枠部２１ａや口字形の受枠部２１ａとしてもよい。
【００４５】
ここで、この包装用容器の使用方法について説明する。閉蓋した状態においては、図３に示すように、蓋体２０の蓋内側フランジ部２３、係合部２４、蓋外側フランジ部２５がそれぞれ容器本体１０の本体内側フランジ部１２ｂ、逆テーパ部１２ｃ、本体外側フランジ部１３と重なり合い、内嵌合する。そして、蓋体２０と容器本体１０とによって密閉された空間が形成されるが、空間内の空気は、閉蓋に際して、容器本体１０に形成された溝１６から排気され、蓋体２０の天部２１が上方へ膨らんだ状態とならない。
【００４６】
そして、蓋内側フランジ部２３が四箇所において逆テーパ部１２ｃと突出部１２ｅとに挟まれた状態となっているため、蓋体２０の蓋周壁部２２に力を加えて変形させ、蓋外側フランジ部２５を浮き上がらせ、不正に開蓋することができない。また、蓋外側フランジ部２５の外周縁が容器本体１０の立上り部１４の内側立上り部１４ａに接触ないし近接しているため、蓋外側フランジ部２５を直接摘まむことができないようにされている。
【００４７】
そして、商品の購入者などの使用者は、開蓋するため、一方の手で容器本体１０の外側立上り部１４ｂを押さえ、他方の手で蓋外側フランジ部２５の摘み部２５ａを摘んで他辺２５ｃの方に引っ張る。摘み部２５ａは、図４に示すように、容器本体１０の切欠部１４ｅから突出していることから摘みやすく、また、蓋外側フランジ部２５に易開封ライン２６が形成されていることから、蓋外側フランジ部２５を易開封ライン２６で容易に引き裂くことができる。
【００４８】
ただし、図５に示すように、他辺２５ｃ側には、凹凸２５ｂによって引裂き阻止手段２７が設けられているため、易開封ライン２６の端末２６ａから他辺２５ｃまで引き裂かれることがなく、したがって、摘み部２５ａ及び易開封ライン２６よりも先の部分２６ｄが蓋外側フランジ部２５から分離しない。
【００４９】
そして、使用者は、一方の手で容器本体１０の外側立上り部１４ｂなどを押さえたまま、易開封ライン２６で引き裂かれた部分の蓋外側フランジ部２５を他方の手で引き上げる。すると、蓋体２０及び容器本体１０が弾性変形し、蓋体２０の蓋内側フランジ部２３、係合部２４、蓋外側フランジ部２５がそれぞれ容器本体１０の本体内側フランジ部１２ｂ、逆テーパ部１２ｃ、本体外側フランジ部１３から離間し、開蓋することができる。
【００５０】
そして、包装用容器内に収容された食品などに被収容物を使いきらなかった場合でも、開蓋によって容器本体１０と蓋体２０との密閉のための係合部分が壊されることがないので、再び閉蓋することができる。すなわち、蓋体２０の蓋内側フランジ部２３、係合部２４、蓋外側フランジ部２５がそれぞれ容器本体１０の本体内側フランジ部１２ｂ、逆テーパ部１２ｃ、本体外側フランジ部１３が重ね合わされ、内嵌合する。したがって、収容された食品から汁気が出ても、包装用容器内から汁気が漏出することはない。
【００５１】
また、この包装用容器は、蓋内側フランジ部２３が容器本体１０の突出部１２ｅと逆テーパ部１２ｃの下端縁とに挟まれ、さらに、蓋外側フランジ部２５の外周縁が容器本体１０の内側立上り部１４ａに接触ないし近接しているため、摘み部２５ａを摘まんで易開封ライン２６を引き裂かないと容易に開封することができない。したがって、この包装用容器は、店舗において、不正に開蓋された場合には、その包装用容器を容易に判別することができる。
【００５２】
すなわち、蓋外側フランジ部２５が易開封ライン２６で引き裂かれていない蓋体２０は、開蓋されていないと判断することができる。逆に、蓋外側フランジ部２５が易開封ライン２６で引き裂かれていると、不正に開蓋された包装用容器であると判断することができる。
【００５３】
また、店舗においては、図３の仮想線に示すように、複数の包装用容器が積み上げられるが、下側の包装用容器の受枠部２１ａが上側の包装用容器の高台部１１ｂを外嵌することによって、外力が加えられても位置ずれしないことから、倒れにくいようにされている。
【００５４】
なお、本発明は、前記の実施形態に限定することなく種々変更することができる。例えば、引裂き阻止手段２７は、凹凸２５ｂでなく、易開封ライン２６の端末２６ａに設けた孔部や疣部によって形成してもよい。また、前記凹凸２５ｂは、蓋外側フランジ部２５の全周に設けられているが、引裂き阻止手段２７としてのみ機能させるのであれば、易開封ライン２６の端末２６ａにのみ設けてもよい。
【００５５】
また、容器本体１０は、突出部１２ｅ、高台部１１ｂを備えないものとしてもよいし、さらに、本体周壁部１２に本体内側フランジ部１２ｂを備えず、側壁部１２ａと逆テーパ部１２ｃとが直接、隣り合うように設けてもよい。さらに、容器本体１０及び蓋体２０は、平面形状が四角形状に限定されず、円形、楕円形、三角形、五角形などの多角形としてもよい。
【００５６】
また、容器本体１０の立上り部１４は、内側立上り部１４ａと外側立上り部１４ｂの二重でなく、内側立上り部１４ａのみとしてもよい。この場合は、内側立上り部１４ａの上端縁には、補強のため、また、怪我しないように凹凸２５ｂ形状を施すことが好ましい。
【符号の説明】
【００５７】
１０ａ…開口部
１０……容器本体
１１……底部
１１ｂ…高台部
１２……本体周壁部
１２ｂ…本体内側フランジ部
１２ｃ…逆テーパ部
１２ｅ…突出部
１３……本体外側フランジ部
１４……立上り部
２０……蓋体
２１……天部
２１ａ…受枠部
２２……蓋周壁部
２３……蓋内側フランジ部
２４……係合部
２５……蓋外側フランジ部
２５ａ…摘み部
２５ｃ…他辺
２６……易開封ライン
２６ａ…易開封ラインの端末
２７……引裂き阻止手段
【図１】
2010269824.tif 000003
【図２】
2010269824.tif 000004
【図３】
2010269824.tif 000005
【図４】
2010269824.tif 000006
【図５】
2010269824.tif 000007
【図６】
2010269824.tif 000008
【図７】
2010269824.tif 000009